(57)【要約】【解決手段】折り畳まれた状態から先に立てられる側壁２に形成された窓部Ａに、係合突部４ｃが突設された可動ブロック４Ａと弾性舌片４Ｂとからなる係合部材４を配設し、また、上記側壁に次いで後から立てられる側壁３には、操作部５’と梃子杆５”とからなるロック解除部材５と係止片３ｇとを配設し、折り畳みコンテナーが箱型に組み立てられた状態においては、前記後から立てられる側壁に形成された係止片が、前記先に立てられる側壁に配設された可動ブロックに突設された係合突部と係合枠２ｂとの間に位置するように構成したものである。【効果】ロック解除部材の曲げ変形が少なく、従って、確実に、先に立てられる側壁と後から立てられる側壁とのロック解除作業を行うことができるとともに、ロック解除部材の損傷を防止することができる。【選択図】図１４
2006044747.tif 000002
【特許請求の範囲】
【請求項１】
折り畳まれた状態から先に立てられる側壁に形成された窓部に、係合突部が突設された可動ブロックと弾性舌片とからなる係合部材を配設し、また、上記側壁に次いで後から立てられる側壁には、操作部と梃子杆とからなるロック解除部材と係止片とを配設し、折り畳みコンテナーが箱型に組み立てられた状態においては、前記後から立てられる側壁に形成された係止片が、前記先に立てられる側壁に配設された可動ブロックに突設された係合突部と係合枠との間に位置するように構成し、そして、箱型に組み立てられた折り畳みコンテナーを折り畳む際には、前記梃子杆を、梃子の原理を利用して回動させることにより、前記可動ブロックを上動させて、前記後から立てられる側壁に形成された係止片と前記先に立てられる側壁に配設された可動ブロックに突設された係合突部とのロック状態を解除するように構成したことを特徴とする折り畳みコンテナー。
【発明の詳細な説明】
【技術分野】
【０００１】
本発明は、底部を囲むように配設された側壁が、底部に重なるように折り畳むことが可能な折り畳みコンテナーに関するものである。
【背景技術】
【０００２】
従来、平面形状が略長方形に形成された底部の相対する長辺部に、ヒンジ部材を介して連結された長側壁と、同じく上記底部の相対する短辺部に、ヒンジ部材を介して連結された短側壁とからなり、底部に対して略垂直に長側壁と短側壁を立てることにより、箱型に組み立てられ、また、折り畳む際には、底部の上に重なるように、長側壁及び短側壁を倒すようにした折り畳みコンテナーが知られており、箱型に組み立てられ状態においては、長側壁或いは短側壁が、底部方向に倒れないように、互いに、ロック機構により、ロックされるように構成されている。
【０００３】
一例として、短側壁に配設された操作部を下動させることにより、係合突起を、短側壁に突設された凸部に当接させて回動させることにより、係合突起と長側壁に形成された係合凹部とのロック状態を解除するようにした折り畳みコンテナーが、特許文献１に開示されている。
【特許文献１】特開２００３−４０２６３号公報
【発明の開示】
【発明が解決しようとする課題】
【０００４】
従来の折り畳みコンテナーにおいては、短側壁と長側壁のロックは、短側壁に配設された係合突起を、長側壁に配設された係合凹部に係合することにより行われており、従って、折り畳みコンテナーに、落下等による衝撃が加わった場合に、係合突起が移動し、ロック状態が簡単に解除されてしまうという問題があった。
【０００５】
また、短側壁の底部方向への回動は、強度的に弱い係合突起を、係合凹部に係合することにより行われており、従って、係合突起が損傷するという問題があった。
【０００６】
更に、係合突起を、大型の折り畳みコンテナーの短側壁に配設した場合や短側壁より横幅の長い長側壁に配設した場合には、係合突起が変形して、長側壁と短側壁のロック状態を解除することができなかったり、係合突起が損傷するという問題があった。
【０００７】
本発明の目的は、上述した従来の折り畳みコンテナーが有する課題を解決することにある。
【課題を解決するための手段】
【０００８】
本発明は、上述した目的を達成するために、折り畳まれた状態から先に立てられる側壁に形成された窓部に、係合突部が突設された可動ブロックと弾性舌片とからなる係合部材を配設し、また、上記側壁に次いで後から立てられる側壁には、操作部と梃子杆とからなるロック解除部材と係止片とを配設し、折り畳みコンテナーが箱型に組み立てられた状態においては、前記後から立てられる側壁に形成された係止片が、前記先に立てられる側壁に配設された可動ブロックに突設された係合突部と係合枠との間に位置するように構成し、そして、箱型に組み立てられた折り畳みコンテナーを折り畳む際には、前記梃子杆を、梃子の原理を利用して回動させることにより、前記可動ブロックを上動させて、前記後から立てられる側壁に形成された係止片と前記先に立てられる側壁に配設された可動ブロックに突設された係合突部とのロック状態を解除するようにしたものである。
【発明の効果】
【０００９】
梃子杆を、梃子の原理を利用して回動させることにより、可動ブロックを移動させて、先に立てられる側壁に配設された可動ブロックに突設された係合突部と後から立てられる側壁に形成された係止片とのロック状態を解除するように構成したので、従来のロック部材全体を下動させる場合に比べて、ロック解除部材の曲げ変形が少なく、従って、確実に、先に立てられる側壁と後から立てられる側壁とのロック解除作業を行うことができるとともに、ロック解除部材の損傷を防止することができる。
【実施例】
【００１０】
以下に、本発明の実施例について説明するが、本発明の趣旨を越えない限り、何ら、本実施例に限定されるものではない。
【００１１】
先ず最初に、図１〜図３を用いて、折り畳みコンテナーの全体構成について説明する。
【００１２】
折り畳みコンテナーは、底部１と、底部１の相対する長辺側土手部１ａにヒンジ連結された長側壁２と、底部１の相対する短辺側土手部１ｂにヒンジ連結された短側壁３とから構成されており、本実施例においては、長辺側土手部１ａの高さは、短辺側土手部１ｂの高さより高く構成されている。
【００１３】
図１に示されている箱型に組み立てられた状態から、先ず最初に、短側壁３を、図２に示されているように、底部１に重なるように倒し、次いで、長側壁２を、底部１に重ねられた短側壁３に重なるように倒すことにより、図３に示されているように、折り畳みコンテナーを、高さの低いコンパクトに折り畳むことができるように構成されており、また、図３に示されている折り畳まれた状態から、長側壁２を、図２に示されているように、略垂直に立て、次いで、短側壁３を略垂直に立てることにより、図１に示されているように、箱型に組み立てることができるように構成されている。
【００１４】
次に、主として、図１〜図５を用いて、長側壁２について説明する。
【００１５】
長側壁２は、横長の略長方形状の板状部２ａを有しており、長側壁２の両垂直端には、板状部２ａに略垂直で、且つ、板状部２ａの内面（折り畳みコンテナーを図１に示されているように、箱型に組み立てた際に、箱型に組み立てられた折り畳みコンテナーの内側に位置する面）２ａ１から突出する方向に延在する、縦長の係合枠２ｂが形成されており、係合枠２ｂには、上下方向に所定の間隔を置いて、板状部２ａに略平行な嵌合孔２ｂ１が、適当数、形成されている。なお、本実施例には、３個の嵌合孔２ｂ１が形成されている例が示されている。
【００１６】
板状部２ａの上下端には、板状部２ａの外面（図１に示されているように、折り畳みコンテナーを箱型に組み立てた際に、折り畳みコンテナーの外側に位置する面）２ａ２に対して略垂直方向に延在する上端水平リブ２ｃ及び下端水平リブ２ｄが、それぞれ形成されている。また、係合枠２ｂを、板状部２ａの外面２ａ２を越えて、外側に延在させることにより、端部垂直リブ２ｅが形成されており、端部垂直リブ２ｅの上端と上端水平リブ２ｃの端部とは連結されている。
【００１７】
上端水平リブ２ｃの下方に位置する板状部２ａの外面２ａ２には、上端水平リブ２ｃに対して略平行で、且つ、端部垂直リブ２ｅに略垂直で、その一端が、端部垂直リブ２ｅに連結された区画水平リブ２ｆが形成されており、また、板状部２ａの外面２ａ２には、区画水平リブ２ｆのもう一方の端部と上端水平リブ２ｃとを連結するとともに、端部垂直リブ２ｅに略平行な区画垂直リブ２ｇが形成されている。更に、区画水平リブ２ｆには、端部垂直リブ２ｅに略平行で、且つ、上端水平リブ２ｃ方向に延在する中間垂直リブ２ｈが立設されており、中間垂直リブ２ｈの上端には、上端水平リブ２ｃに略平行で、且つ、区画垂直リブ２ｇに連結された中間水平リブ２ｉが形成されている。なお、上端水平リブ２ｃ、端部垂直リブ２ｅ、区画水平リブ２ｆ、区画垂直リブ２ｇ、中間垂直リブ２ｈ及び中間水平リブ２ｉの板状部２ａの外面２ａ２からの突出量（高さ）は、略同じに形成されている。
【００１８】
上述したように、上端水平リブ２ｃと端部垂直リブ２ｅと区画水平リブ２ｆと区画垂直リブ２ｇと中間垂直リブ２ｈと中間水平リブ２ｉとを形成することにより、長側壁２の板状部２ａの上部両端に位置する上部角部には、端部垂直リブ２ｅと区画垂直リブ２ｇとの間に位置する上端水平リブ部２ｃ１と、上端水平リブ２ｃと区画水平リブ２ｆとの間に位置する端部垂直リブ部２ｅ１と、上端水平リブ２ｃと中間水平リブ２ｉとの間に位置する区画垂直リブ部２ｇ１と、端部垂直リブ２ｅと中間垂直リブ２ｈとの間に位置する区画水平リブ部２ｆ１と、中間垂直リブ２ｈと、中間水平リブ２ｉとにより区画された略Ｌ字状の区画室が形成されており、この略Ｌ字状の区画室内に位置する板状部２ａを削除することにより、長側壁２の板状部２ａの上部両端に位置する上部角部には、略Ｌ字状の窓部Ａが形成されている。
【００１９】
４Ａは、箱型状の可動ブロックであり、可動ブロック４Ａは、上述した略Ｌ字状の窓部Ａを構成する垂直部に、上下方向に移動可能に配置されるように構成されている。また、上端水平リブ２ｃと中間水平リブ２ｉとの間に位置する区画垂直リブ部２ｇ１の端部垂直リブ２ｅ側の側面には、端部垂直リブ２ｅ方向に、略水平に延在する板状の弾性舌片４Ｂが形成されており、弾性舌片４Ｂの先端部と可動ブロック４Ａの上面４ａとは、中間片４Ｃにより一体的に連結されている。このように、可動ブロック４Ａと弾性舌片４Ｂと中間片４Ｃとにより、係合部材４が構成されている。なお、可動ブロック４Ａの上面３ａに、直接、弾性舌片４Ｂの先端部を連接することにより、中間片４Ｃを省略することもできる。
【００２０】
また、可動ブロック４Ａの内側（折り畳みコンテナーを箱型に組み立てた際に、内側に位置する面）４ｂの２つの上部角部のうち、係合枠２ｂ側に位置する上部角部には、略角柱状の係合突部４ｃが突設されている。係合突部４ｃの上面４ｃ１及び下面４ｃ２は、略水平面を形成しており、また、相対する側面４ｃ３、４ｃ４のうち、係合枠２ｂ側の側面４ｃ３は、略垂直面として形成されており、もう一方の板状部２ａ側の側面４ｃ４は、下方に行くに従って、係合枠２ｂ方向に傾斜した傾斜案内面として構成されている。なお、係合突部４ｃの先端面４ｃ５は、略垂直面として形成されている。係合突部４ｃは、このような構成に限定されることなく、種々の形状に構成することができるが、どのような形状の場合でも、傾斜案内面４ｃ４を有することが重要である。
【００２１】
次に、図１、図６及び図７を用いて、短側壁３について説明する。
【００２２】
短側壁３は、略方形状の板状部３ａを有しており、板状部３ａの上下端には、板状部３ａの外面（図１に示されているように、折り畳みコンテナーを箱型に組み立てた際に、折り畳みコンテナーの外側に位置する面）３ａ１に対して略垂直方向に延在する上端水平リブ３ｂ及び下端水平リブ３ｃが、それぞれ形成されており、また、上端水平リブ３ｂの両端部と下端水平リブ３ｃの両端部とは、側部リブ３ｄにより連結されている。
【００２３】
短側壁３には、板状部３ａの上部領域或いは全体を、側部リブ３ｄを越えて外側に延在することにより、縦長の張出部３ｅが形成されており、張出部３ｅの縁部には、長側壁２の係合枠２ｂに穿設された嵌合孔２ｂ１に嵌合可能な嵌合突部３ｆが外側に向かって形成されている。本実施例においては、長側壁２の係合枠２ｂに穿設された３個の嵌合孔２ｂ１に対応して、３個の嵌合突部３ｆが形成されている例が示されている。
【００２４】
側部リブ３ｄの張出部３ｅ側に位置する面（以下、外面という。）３ｄ１の上部で、且つ、側部リブ３ｄの先端部３ｄ２付近には、側部リブ３ｄに略垂直で、且つ、板状部３ａに略平行な板状の係止片３ｇが形成されており、また、必要に応じて、係止片３ｇと側部リブ３ｄの外面３ｄ１とにより形成される隅部には、略水平な補強水平片３ｄ３が形成されている。本実施例においては、係止片３ｇが、張出部３ｅに突設された嵌合突部３ｆのうち、一番上に位置する嵌合突部３ｆの下方近傍に形成されている例が示されている。また、係止片３ｇが位置する側部リブ３ｄには、縦長のスリット３ｈが穿設されている。
【００２５】
上端水平リブ３ｂの下方に位置する板状部３ａには、板状部３ａの外面３ａ１に対して略垂直方向で、且つ、上端水平リブ３ｂに略平行な上部水平リブ３ｉが形成されている。上端水平リブ３ｂと上部水平リブ３ｉとは、所定の間隔を置いて、一対の相対する区画垂直リブ３ｊにより連結されており、また、区画垂直リブ３ｊには、縦長のスリット３ｋが形成されている。更に、区画垂直リブ３ｊと側部リブ３ｄとの間には、上端水平リブ３ｂと上部水平リブ３ｉを連結する垂直リブ３ｍが形成されており、垂直リブ３ｍには、支点用透孔３ｍ１が穿設されている。
【００２６】
一対の相対する区画垂直リブ３ｊ間に位置する上端水平リブ３ｂの裏面には、一対の垂下リブ３ｎが垂設されており、垂下リブ３ｎの下部には、区画垂直リブ３ｊ方向に延在する水平状の弾性条片用支持突片３ｎ１が延設されている。また、一対の垂下リブ３ｎ間に位置する板状部３ａには、上端水平リブ３ｂと上部水平リブ３ｉを連結する略垂直なガイドリブ３ｐが形成されている。このガイドリブ３ｐの板状部３ａからの高さは、上述した上端水平リブ３ｂや上部水平リブ３ｉや側部リブ３ｄや区画垂直リブ３ｊや垂直リブ３ｍの板状部３ａからの高さより低く形成されている。
【００２７】
次に、図８及び図９を用いて、１個の操作部５’と２本の梃子杆５”とから構成されるロック解除部材５について説明する。
【００２８】
操作部５’は、横長の前板５ａと、前板５ａの両端から、前板５ａに対して略垂直で、且つ、後方に延在する側板５ｂとを有しているとともに、側板５ｂには、切欠き凹部５ｂ１が形成されている。また、前板５ａには、前板５ａの中央領域を、後方に膨出させることにより、天板５ｃ１と底板５ｃ２と相対する側板５ｃ３と奥板５ｃ４とからなる、前方が開放された箱型の把手用凹部５ｃが形成されている。
【００２９】
相対する側板５ｂ付近に位置する前板５ａの上端部には、側板５ｂと略平行な弾性条片取付リブ５ｄが突設されており、弾性条片取付リブ５ｄの把手用凹部５ｃ側に位置する面の上部には、把手用凹部５ｃ付近まで、下方或いは略水平に延在する弾性条片５ｄ１が形成されている。また、把手用凹部５ｃの奥板５ｃ４の両端部付近を、前板５ａ方向に膨出させることにより、縦長のガイド凹部５ｃ５が形成されている。更に、側板５ｂ付近に位置する前板５ａの裏面には、前板５ａに略垂直な円筒状の軸受け５ｅが形成されている。
【００３０】
５”は、棒状の梃子杆であり、梃子杆５”の一方の端部付近の背面（梃子杆５”を、操作部５’と共に、短側壁３に配設した場合に、短側壁３の板状部３ａ側に位置する面）には、枢支ピン５ｆが突設されており、また、もう一方の端部に位置する、梃子杆５”の長手方向に垂直な端部垂直部５ｇには、端部垂直部５ｇに対して垂直な押し上げ突部５ｈが突設されている。
【００３１】
操作部５’の横幅Ｗ１は、短側壁３に形成された一対の相対する区画垂直リブ３ｊの間隔Ｄ１と略同じに形成されており、また、操作部５’の高さＨ１は、短側壁３に形成された上端水平リブ３ｂと上部水平リブ３ｉとの間隔Ｄ２より低く形成されている。
【００３２】
次に、主として、図１０〜図１３を用いて、短側壁３へのロック解除部材５の取り付けについて説明する。
【００３３】
一方の梃子杆５”を、枢支ピン５ｆが突設されている側から、一対の側部リブ３ｄの一方の側部リブ３ｄに穿設された縦長のスリット３ｈに挿入し、次いで、一対の垂直リブ３ｍの一方の垂直リブ３ｍに穿設された支点用透孔３ｍ１に挿入し、その後、一対の区画垂直リブ３ｊの一方の区画垂直リブ３ｊに穿設されている縦長のスリット３ｋに挿入する。同様に、もう一方の梃子杆５”を、枢支ピン５ｆが突設されている側から、一対の側部リブ３ｄのもう一方の側部リブ３ｄに穿設された縦長のスリット３ｈに挿入し、次いで、一対の垂直リブ３ｍのもう一方の垂直リブ３ｍに穿設された支点用透孔３ｍ１に挿入し、その後、一対の区画垂直リブ３ｊのもう一方の区画垂直リブ３ｊに穿設されている縦長のスリット３ｋに挿入する。
【００３４】
そして、操作部５’の把手用凹部５ｃを形成する奥板５ｃ４が、短側壁３の板状部３ａと対向するように、且つ、操作部５’の把手用凹部５ｃが、短側壁３の上端水平リブ３ｂから垂設された一対の垂下リブ３ｎ間に位置するように、操作部５’を、短側壁３の上端水平リブ３ｂと上部水平リブ３ｉと相対する区画垂直リブ３ｊにより形成される空間部に配置する。また、操作部５’を、このように短側壁３に配置した際には、操作部５’に形成された弾性条片５ｄ１の先端を、上端水平リブ３ｂに垂設された垂下リブ３ｎの弾性条片用支持突片３ｎ１に載置するとともに、梃子杆５”を、側板５ｂに形成された切欠き凹部５ｂ１に嵌合し、且つ、梃子杆５”の一方の端部付近に突設された枢支ピン５ｆを、操作部５’の前板５ａの裏面に形成された円筒状の軸受け５ｅに挿入する。更に、このように短側壁３に配置した際には、操作部５’に形成された縦長のガイド凹部５ｃ５には、短側壁３の板状部３ａに形成されたガイドリブ３ｐが挿入されるように構成されている。
【００３５】
上述したようにして、短側壁３に、１個の操作部５’と２本の梃子杆５”とから構成されるロック解除部材５が配設されることになる。短側壁３に、ロック解除部材５が配設された際には、梃子杆５”の押し上げ突部５ｈが、図１１に示されているように、側部リブ３ｄに形成された係止片３ｇの背面（折り畳みコンテナーを箱型に組み立てた際に、内側に位置する面）３ｇ１に位置するように構成されているととともに、梃子杆５”の押し上げ突部５ｈの先端が、張出部３ｅを越えて、短側壁３の外側に突出しないように構成されている。
【００３６】
また、短側壁３に、ロック解除部材５が配設された際には、短側壁３の側部リブ３ｄに穿設された縦長のスリット３ｈに挿入された梃子杆５”の押し上げ突部５ｈ或いは梃子杆５”の先端部は、スリット３ｈ内において、上下方向に自由に移動可能に構成されているとともに、区画垂直リブ３ｊの縦長のスリット３ｋに挿入された梃子杆５”も、スリット３ｋ内において、上下方向に自由に移動可能に構成されている。また、短側壁３の垂直リブ３ｍに穿設された支点用透孔３ｍ１に挿入された梃子杆５”は、上下方向の移動が制限され、支点用透孔３ｍ１が、梃子杆５”の梃子支点として機能するように構成されている。
【００３７】
更に、短側壁３に、ロック解除部材５が配設された際には、図１１に示されているように、操作部５’が、短側壁３の上端水平リブ３ｂに当接或いは接近して位置するように構成されているとともに、操作部５’と短側壁３の上部水平リブ３ｉとの間には、操作部５’が、操作部５’に配設された弾性条片５ｄ１の弾性力に抗して下動可能な間隙が形成されている。
【００３８】
更にまた、折り畳みコンテナーが箱型に組み立てられた状態においては、図１４に示されているように、ロック解除部材５を構成する梃子杆５”の押し上げ突部５ｈが、長側壁２の両端上部角部付近に形成された略Ｌ字状の窓部Ａの垂直部に配置された可動ブロック４Ａの内側４ｂに突設された係合突部４ｃの下面４ｃ２に当接或いは接近して位置するように構成されている。
【００３９】
なお更に、折り畳みコンテナーが箱型に組み立てられた状態においては、図１４に示されているように、短側壁３に形成された係止片３ｇが、長側壁２に配設された可動ブロック４Ａに突設された係合突部４ｃの係合枠２ｂ側の側面４ｃ３と長側壁２の係合枠２ｂとの間に位置するように構成されており、従って、短側壁３に、短側壁３を底部１方向に倒そうとする外力が加わっても、短側壁３に形成された係止片３ｇが、長側壁２に配設された可動ブロック４Ａに突設された係合突部４ｃの側面４ｃ３に当接し、短側壁３の底部１方向への回動が阻止されることになる。このように、長側壁２と短側壁３とのロックは、長側壁２に形成された可動ブロック４Ａと短側壁３に形成された係止片３ｇにより行われ、このロックには、ロック解除部材５は関与していないので、箱型に組み立てられた状態において、ロック解除部材５に負荷が加わり、ロック解除部材５が損傷するようなことを防止することができる。
【００４０】
図３に示されているように、折り畳まれた状態の折り畳みコンテナーを，図１に示されているように、箱型に組み立てるには，先ず最初に、略水平状態の長側壁２を、垂直方向に回動させて、図２に示されているように、略垂直に立てる。次いで、底部１に重なるようにして折り畳まれている短側壁３を、垂直方向に回動させると、短側壁３の張出部３ｅが、長側壁２に形成された係合枠２ｂに対向するように接近し、短側壁３の張出部３ｅに突設されている嵌合突部３ｆの先端部が、長側壁２の係合枠２ｂに形成された嵌合孔２ｂ１に挿入されることになる。この嵌合突部３ｆの嵌合孔２ｂ１への挿入過程と前後して、図１５に示されているように、長側壁２の両端上部角部付近に形成された略Ｌ字状の窓部Ａの垂直部に配置された可動ブロック４Ａに突設された係合突部４ｃの傾斜案内面４ｃ４に、短側壁３の側部リブ３ｄに形成された係止片３ｇの上端が当接するとになる。この状態から、更に，短側壁３を、垂直方向に回動させると、上記の係止片３ｇが，弾性舌片４Ｂの弾性力に抗して、可動ブロック４Ａを上動させるとともに、弾性舌片４Ｂを上方に弾性変形させる。そして、係止片３ｇが、可動ブロック４Ａに突設された係合突部４ｃの下面４ｃ２を越えた時点で、可動ブロック４Ａは、弾性舌片４Ｂの復元力により下動し、短側壁３の側部リブ３ｄに形成された係止片３ｇが、長側壁２に配設された可動ブロック４Ａに突設された係合突部４ｃの係合枠２ｂ側の側面４ｃ３と長側壁２の係合枠２ｂとの間に位置することになり、従って、短側壁３に、短側壁３を底部１方向に倒そうとする外力が加わっても、短側壁３に形成された係止片３ｇが、長側壁２に配設された可動ブロック４Ａに突設された係合突部４ｃの側面４ｃ３に当接し、短側壁３の底部１方向への回動が阻止されることになる。また、このようにして、折り畳みコンテナーが箱型に組み立てられた際には、ロック解除部材５を構成する梃子杆５”の押し上げ突部５ｈが、長側壁２の両端上部角部付近に形成された略Ｌ字状の窓部Ａの垂直部に配置された可動ブロック４Ａの内側４ｂに突設された係合突部４ｃの下面４ｃ２に当接或いは接近して位置するように構成されている。
【００４１】
図１に示されているように、箱型に組み立てられた折り畳みコンテナーを，図３に示されているように、折り畳むには，短側壁３に配設されているロック解除部材５の把手用凹部５ｃに手を入れて，その先端部が、短側壁３の上端水平リブ３ｂに垂設された垂下リブ３ｎの弾性条片用支持突片３ｎ１に載置されている弾性条片５ｄを変形させながら，弾性条片５ｄの弾性力に抗して，ロック解除部材５を下動させると，ロック解除部材５を構成する梃子杆５”の支点垂直リブ３ｍから操作部５’側に位置する部分が、支点垂直リブ３ｍを中心に下動回動し、また、梃子杆５”の支点垂直リブ３ｍから張出部３ｅ側に位置する部分が、支点垂直リブ３ｍを中心に上動回動することになり、従って、長側壁２に配設された可動ブロック４Ａに突設された係合突部４ｃの下面４ｃ２に当接或いは接近している押し上げ突部５ｈが、弾性舌片４Ｂの弾性力に抗して、図１６に示されているように、可動ブロック４Ａを上動させる。そして、可動ブロック４Ａに突設された係合突部４ｃの下面４ｃ２が、短側壁３の側部リブ３ｄに形成された係止片３ｇの上端を越えた時点で、短側壁３を，底部１方向に倒して，相対する短側壁３を，底部１に重ねる。その後，長側壁２を，底部１方向に倒して，底部１に重ねられている短側壁３の上に，相対する長側壁２を重ねることにより，図１に示されているように、箱型に組み立てられた折り畳みコンテナーを，図３に示されているように折り畳むことができる。
【００４２】
上述したように、箱型に組み立てられた折り畳みコンテナーを折り畳む際には、短側壁３に配設されているロック解除部材５を構成する操作部５’を下動させることにより、枢支ピン５ｆが操作部５’に形成された円筒状の軸受け５ｅに挿入されている梃子杆５”を下動させて、梃子杆５”を、梃子杆５”が挿入されている支点用透孔３ｍ１が穿設された垂直リブ３ｍを中心に、長側壁２に配設された可動ブロック４Ａに突設された係合突部４ｃの下面４ｃ２に当接或いは接近している押し上げ突部５ｈが上動するように、梃子の原理を利用して回動させるように構成したので、従来のロック部材全体を下動させる場合に比べて、ロック解除部材５を下動させて、長側壁２に配設された可動ブロック４Ａを上動させて、可動ブロック４Ａに突設された係合突部４ｃと短側壁３の側部リブ３ｄに形成された係止片３ｇとのロック状態を解除する際のロック解除部材５を下動させる力が少なくてすみ、従って、長側壁２に配設された可動ブロック４Ａに突設された係合突部４ｃと短側壁３の側部リブ３ｄに形成された係止片３ｇとのロック解除作業を、迅速に且つ円滑に行うことができる。
【００４３】
また、ロック解除部材５を構成する梃子杆５”を、梃子の原理を利用して回動させるように構成したので、従来のロック部材全体を下動させる場合に比べて、梃子杆５”の曲げ変形が少なくなり、従って、確実に、長側壁２に配設された可動ブロック４Ａに突設された係合突部４ｃと短側壁３の側部リブ３ｄに形成された係止片３ｇとのロック解除作業を行うことができるとともに、梃子杆５”の損傷を防止することができる。
【００４４】
上述したように、ロック解除部材５を構成する梃子杆５”を、梃子の原理を利用して回動させるように構成したので、従来のロック部材全体を下動させる場合に比べて、梃子杆５”の曲げ変形が少なく、従って、横幅が長い短側壁３を有する大型の折り畳みコンテナーに適している。
【００４５】
上述した実施例には、箱型に組み立てられた折り畳みコンテナーを折り畳む場合には、先に、短側壁３を底部１方向に倒し、次いで、長側壁２を、底部１方向に倒して折り畳み、また、折り畳まれた状態の折り畳みコンテナーを箱型に組み立てる場合には、先に、長側壁２を垂直方向に回動し、次いで、短側壁３を垂直方向に回動するようにした例が示されているが、箱型に組み立てられた折り畳みコンテナーを折り畳む際に、先に、長側壁２を底部１方向に倒し、次いで、短側壁３を、底部１方向に倒して折り畳み、また、折り畳まれた状態の折り畳みコンテナーを箱型に組み立てる際には、先に、短側壁３を垂直方向に回動し、次いで、長側壁３を垂直方向に回動するように構成された折り畳みコンテナーに、１個の操作部５’と２本の梃子杆５”とからなるロック解除部材５や可動ブロック４Ａと弾性舌片４Ｂ等からなる係合部材４等を配設することができる。
【００４６】
箱型に組み立てられた折り畳みコンテナーを折り畳む際に、先に、長側壁２を底部１方向に倒し、次いで、短側壁３を、底部１方向に倒して折り畳み、また、折り畳まれた状態の折り畳みコンテナーを箱型に組み立てる際には、先に、短側壁３を垂直方向に回動し、次いで、長側壁３を垂直方向に回動するように構成された折り畳みコンテナーの場合には、短側壁２の両端上部角部付近に、上述した長側壁２の両端上部角部付近に配設された、可動ブロック４Ａと弾性舌片４Ｂと中間片４Ｃとを有する係合部材４や嵌合孔２ｂ１が穿設された係合枠２ｂを配設し、また、長側壁２に、上述した短側壁３に配設された１個の操作部５’と２本の梃子杆５”とから構成されるロック解除部材５を配設することになる。このように、長側壁２に、ロック解除部材５を配設した際には、梃子杆５”の長さが、ロック解除部材５を短側壁３に配設した場合に比べて長くなるが、ロック解除部材５を構成する梃子杆５”を、梃子の原理を利用して回動させるように構成したので、従来のロック部材全体を下動させる場合に比べて、梃子杆５”の曲げ変形が少なくなる。
【００４７】
上述したように、折り畳まれた状態から先に立てられる長側壁２の両端上部角部付近に形成された略Ｌ字状の窓部Ａには、係合突部４ｃが突設された可動ブロック４Ａと弾性舌片４Ｂとからなる係合部材４が配設されており、また、上記の長側壁２に次いで後から立てられる短側壁３には、１個の操作部５’と２本の梃子杆５”とからなるロック解除部材５と係止片３ｇとが配設されており、折り畳みコンテナーが箱型に組み立てられた状態においては、短側壁３に形成された係止片３ｇが、長側壁２に配設された可動ブロック４Ａに突設された係合突部４ｃと長側壁２に形成された係合枠２ｂとの間に位置するように構成されており、箱型に組み立てられた折り畳みコンテナーを折り畳む際には、梃子杆５”を、梃子の原理を利用して回動させることにより、可動ブロック４Ａを上動させて、短側壁３に形成された係止片３ｇと長側壁２に配設された可動ブロック４Ａに突設された係合突部４ｃとのロック状態を解除するように構成されている。
【００４８】
上述したように、梃子杆５”を、梃子の原理を利用して回動させることにより、可動ブロック４Ａを移動させて、短側壁３に形成された係止片３ｇと長側壁２に配設された可動ブロック４Ａに突設された係合突部４ｃとのロック状態を解除するように構成されているので、従来のロック部材全体を下動させる場合に比べて、梃子杆５”の曲げ変形が少なく、従って、確実に、長側壁２と短側壁３とのロック解除作業を行うことができるとともに、梃子杆５”の損傷を防止することができる。
【００４９】
また、係合突部４ｃが突設されている可動ブロック４Ａを上動させて、長側壁２と短側壁３とのロックを解除するように構成されているので、短側壁に配設されたロック部材の上動を、長側壁に配設された係合突部を外側に押し出すようにした従来のロック解除部材に比べて、ロック解除に要する力が少なく、従って、長側壁２と短側壁３とのロック解除を、容易に、且つ、迅速に行うことができる。
【図面の簡単な説明】
【００５０】
【図１】図１は、本発明の折り畳みコンテナーが箱型に組み立てられた状態の斜視図である。
【図２】図２は、本発明の折り畳みコンテナーの組み立て途中或いは折り畳み途中の斜視図である。
【図３】図３は、本発明の折り畳みコンテナーの折り畳まれた状態の斜視図である。
【図４】図４は、本発明の折り畳みコンテナーの長側壁を内面側から見た部分拡大斜視図である。
【図５】図５は、本発明の折り畳みコンテナーの長側壁を外面側から見た部分拡大斜視図である。
【図６】図６は、本発明の折り畳みコンテナーの短側壁の外面側から見た部分斜視図である。
【図７】図７は、本発明の折り畳みコンテナーの短側壁の内面側から見た部分斜視図である。
【図８】図８は、本発明の折り畳みコンテナーを構成するロック解除部材の奥板側から見た分解斜視図である。
【図９】図９は、本発明の折り畳みコンテナーを構成するロック解除部材の前板側から見た分解斜視図である。
【図１０】図１０は、本発明の折り畳みコンテナーを構成する短側壁とロック解除部材との分解斜視図である。
【図１１】図１１は、本発明の折り畳みコンテナーを構成するロック解除部材が配設された状態の短側壁の外面側から見た部分斜視図である。
【図１２】図１２は、同じく、本発明の折り畳みコンテナーを構成するロック解除部材が配設された状態の短側壁の外面側から見た部分斜視図である。
【図１３】図１３は、本発明の折り畳みコンテナーを構成するロック解除部材が配設された状態の短側壁の内面側から見た部分斜視図である。
【図１４】図１４は、本発明の折り畳みコンテナーを構成する長側壁と短側壁のロック状態の部分拡大斜視図である。
【図１５】図１５は、本発明の折り畳みコンテナーを構成する長側壁と短側壁のロック過程を説明するための部分拡大斜視図である。
【図１６】図１６は、本発明の折り畳みコンテナーを構成する長側壁と短側壁のロック解除過程を説明するための部分拡大斜視図である。
【符号の説明】
【００５１】
１・・・・・・・・・・・底部
２・・・・・・・・・・・長側壁
２ｂ・・・・・・・・・・係合枠
３・・・・・・・・・・・短側壁
３ｅ・・・・・・・・・・張出部
４・・・・・・・・・・・係合部材
４Ａ・・・・・・・・・・可動ブロック
４Ｂ・・・・・・・・・・弾性舌片
５・・・・・・・・・・・ロック解除部材
５’・・・・・・・・・・操作部
５”・・・・・・・・・・梃子杆
【図１】
2006044747.tif 000003
【図２】
2006044747.tif 000004
【図３】
2006044747.tif 000005
【図４】
2006044747.tif 000006
【図５】
2006044747.tif 000007
【図６】
2006044747.tif 000008
【図７】
2006044747.tif 000009
【図８】
2006044747.tif 000010
【図９】
2006044747.tif 000011
【図１０】
2006044747.tif 000012
【図１１】
2006044747.tif 000013
【図１２】
2006044747.tif 000014
【図１３】
2006044747.tif 000015
【図１４】
2006044747.tif 000016
【図１５】
2006044747.tif 000017
【図１６】
2006044747.tif 000018